(57)【要約】【課題】圧電繊維を効率よく変形させることができる樹脂構造体を提供する。【解決手段】樹脂構造体は、外部からのエネルギーにより電荷を発生する複数の圧電繊維と、絶縁性樹脂と、を備える。複数の圧電繊維のうち少なくとも１つは、前記絶縁性樹脂でコーティングされてなる。【選択図】図１
2020084366.tif 000002
【特許請求の範囲】
【請求項１】
外部からのエネルギーにより電荷を発生する複数の圧電繊維と、
絶縁性樹脂と、を備え、
前記複数の圧電繊維のうち少なくとも１つは、前記絶縁性樹脂でコーティングされてなる、
樹脂構造体。
【請求項２】
前記絶縁性樹脂は、前記複数の圧電繊維よりも高い伸縮性を有する、
請求項１に記載の樹脂構造体。
【請求項３】
前記絶縁性樹脂は、前記複数の圧電繊維よりも低い吸水性を有する、
請求項１または請求項２に記載の樹脂構造体。
【請求項４】
前記絶縁性樹脂は、多孔質である、
請求項１乃至請求項３のいずれか１項に記載の樹脂構造体。
【請求項５】
前記複数の圧電繊維は、ポリ乳酸を含む、
請求項１乃至請求項４のいずれか１項に記載の樹脂構造体。
【請求項６】
外部からのエネルギーにより電荷を発生する複数の圧電繊維で構成された布と、
絶縁性樹脂と、を備え、
前記布は、前記絶縁性樹脂でコーティングされてなる、
樹脂構造体。
【発明の詳細な説明】
【技術分野】
【０００１】
本発明は、圧電繊維を備えた樹脂構造体に関する。
【背景技術】
【０００２】
特許文献１には、圧電効果で生じる電荷により抗菌性を発揮する電荷発生繊維が開示されている。
【先行技術文献】
【特許文献】
【０００３】
【特許文献１】特許第６２９２３６８号公報
【発明の概要】
【発明が解決しようとする課題】
【０００４】
糸または布を構成する繊維同士の間には、多数の隙間がある。したがって、圧電繊維を備えた糸または布が変形しても、圧電繊維が隙間を自由に移動できるため、圧電繊維自体の変形は小さい、あるいは変形しない場合がある。
【０００５】
そこで、本発明は、圧電繊維を効率よく変形させることができる樹脂構造体を提供することを目的とする。
【課題を解決するための手段】
【０００６】
本発明の樹脂構造体は、外部からのエネルギーにより電荷を発生する複数の圧電繊維と、絶縁性樹脂と、を備えている。樹脂構造体は、前記複数の圧電繊維のうち少なくとも１つを前記絶縁性樹脂でコーティングしてなる。
【０００７】
本発明の樹脂構造体は、絶縁性樹脂により圧電繊維が拘束されるため、樹脂構造体の全体が変形した場合に、圧電繊維を効率よく変形させることができる。よって、本発明の樹脂構造体は、より少ないエネルギーで電荷を発生させることができる。
【発明の効果】
【０００８】
この発明の樹脂構造体は、圧電繊維を効率よく変形させることができる。
【図面の簡単な説明】
【０００９】
【図１】図１（Ａ）は、樹脂構造体１の構成を示す図であり、図１（Ｂ）は、図１（Ａ）のＡ−Ａ線における断面図である。
【図２】図２（Ａ）および図２（Ｂ）は、ポリ乳酸の一軸延伸方向と、電場方向と、圧電繊維１０の変形と、の関係を示す図である。
【図３】図３（Ａ）は、樹脂構造体２の構成を示す図であり、図３（Ｂ）は、図３（Ａ）のＡ−Ａ線における断面図である。
【図４】樹脂構造体１および樹脂構造体２における、電場を示す図である。
【図５】フィルム形状の圧電体を巻いてなる樹脂構造体１の構成を示す図である。
【図６】布１５０の平面概略図である。
【図７】図７（Ａ）は、抗菌基材７０の断面図であり、図７（Ｂ）は、抗菌基材７０の一部拡大断面図である。
【図８】抗菌基材１７０の形状を示す概略図である。
【発明を実施するための形態】
【００１０】
図１（Ａ）は、樹脂構造体１の構成を示す一部分解図であり、図１（Ｂ）は、図１（Ａ）のＡ−Ａ線における断面図である。
【００１１】
樹脂構造体１は、複数の圧電繊維１０と、絶縁性樹脂１００と、を備えている。複数の圧電繊維１０は、それぞれ断面が円形状の繊維である。複数の圧電繊維１０は、左旋回して互いに撚られた左旋回糸（以下、Ｓ糸と称する。）を構成する。なお、本実施形態では、一例として７本の圧電繊維１０が撚られてなる樹脂構造体１を示しているが、圧電繊維１０の本数、撚り数およびフィラメント数は、実際には用途等を鑑みて、適宜設定される。
【００１２】
絶縁性樹脂１００は、撚られた複数の圧電繊維１０の全体を覆う様に形成されている。ただし、樹脂構造体１は、少なくとも１本の圧電繊維１０が絶縁性樹脂１００に覆われていればよい。また、絶縁性樹脂１００は、１本１本の圧電繊維１０を個別に覆われていてもよい。つまり、絶縁性樹脂１００で覆われた圧電繊維１０を複数用意し、これらの圧電繊維１０を撚り合わせることで、樹脂構造体１を構成してもよい。
【００１３】
圧電繊維１０は、例えば、圧電性ポリマーを押し出し成型して繊維化する手法により製造される。あるいは、圧電繊維１０は、圧電性ポリマーを溶融紡糸して繊維化する手法（例えば、紡糸工程および延伸工程を分けて行う紡糸・延伸法、紡糸工程および延伸工程を連結した直延伸法、仮撚り工程も同時に行うことのできるＰＯＹ−ＤＴＹ法、または高速化を図った超高速紡糸法などを含む。）、圧電性高分子を乾式あるいは湿式紡糸（例えば、溶媒に原料となるポリマーを溶解してノズルから押し出して繊維化するような相分離法もしくは乾湿紡糸法、溶媒を含んだままゲル状に均一に繊維化するような液晶紡糸法、または液晶溶液もしくは融体を用いて繊維化する液晶紡糸法、等を含む。）により繊維化する手法、または圧電性高分子を静電紡糸により繊維化する手法等により製造される。なお、圧電繊維１０の断面形状は、円形状に限るものではない。
【００１４】
圧電性ポリマーは、焦電性を有するものと、焦電性を有しないものとが存在するが、いずれも使用することができる。例えば、ＰＶＤＦ（ポリフッ化ビニリデン）は、焦電性を有しており、温度変化によっても電荷が発生する。ＰＶＤＦ等の焦電性を有する圧電性ポリマーは、人体の熱エネルギーによっても、電荷が生じる。この場合、人体の熱エネルギーが外部からのエネルギーである。
【００１５】
また、ポリ乳酸（ＰＬＡ）は、焦電性を有していない圧電性ポリマーである。ポリ乳酸は、一軸延伸されることで圧電性が生じる。ポリ乳酸には、Ｌ体モノマーが重合した右巻き螺旋構造を有するＰＬＬＡと、Ｄ体モノマーが重合した左巻き螺旋構造を有し、圧電定数の極性がＰＬＬＡとは逆であるＰＤＬＡと、がある。
【００１６】
図２（Ａ）および図２（Ｂ）は、圧電繊維１０が一軸延伸されたＰＬＬＡである場合において、一軸延伸方向と、圧電繊維１０の変形と、電場方向と、の関係を示す図である。なお、図２（Ａ）および図２（Ｂ）は、モデルケースとして、圧電繊維１０をフィルム形状と仮定した場合の図である。
【００１７】
ポリ乳酸は、キラル高分子の一例であり、主鎖が螺旋構造を有する。ポリ乳酸は、一軸延伸されて分子が配向すると、圧電性を発現する。さらに熱処理を加えて結晶化度を高めると圧電定数が高くなる。一軸延伸されたポリ乳酸からなる圧電繊維１０は、厚み方向を第１軸、延伸方向９００を第３軸、第１軸および第３軸の両方に直交する方向を第２軸と定義したとき、圧電歪み定数としてｄ１４およびｄ２５のテンソル成分を有する。したがって、一軸延伸されたポリ乳酸からなる圧電繊維１０は、一軸延伸された方向に対して４５度の方向に歪みが生じた場合に、電荷を発生する。
【００１８】
図２（Ａ）に示すように、圧電繊維１０が第１対角線９１０Ａの方向に縮み、第１対角線９１０Ａに直交する第２対角線９１０Ｂの方向に伸びると、紙面の裏側から表側に向く方向に電場を生じる。すなわち、圧電繊維１０は、紙面表側では負の電荷を発生する。
【００１９】
図２（Ｂ）に示すように、圧電繊維１０が第１対角線９１０Ａの方向に伸び、第２対角線９１０Ｂの方向に縮む場合も、電荷を発生する。この場合、極性は逆になり、紙面の表面から裏側に向く方向に電場を生じる。すなわち、図２（Ｂ）の例では、圧電繊維１０は、紙面表側では、正の電荷が発生する。
【００２０】
ポリ乳酸は、延伸による分子の配向で圧電性が生じるため、ＰＶＤＦ等の他の圧電性ポリマーまたは圧電セラミックスのように、ポーリング処理を行う必要がない。一軸延伸されたポリ乳酸の圧電定数は、５〜３０ｐＣ／Ｎ程度であり、高分子の中では非常に高い圧電定数を有する。さらに、ポリ乳酸の圧電定数は経時的に変動することがなく、極めて安定している。
【００２１】
以上の様な性質を有する圧電繊維１０を図１（Ａ）の樹脂構造体１に適用する場合について説明する。図１（Ａ）において、各圧電繊維１０の延伸方向９００は、それぞれの圧電繊維１０の軸方向に一致している。複数の圧電繊維１０が撚られることによって、圧電繊維１０の延伸方向９００は、樹脂構造体１の軸方向に対して、紙面上において左４５度に傾いた状態となる。
【００２２】
この様な樹脂構造体１の軸方向に張力をかけて伸張した場合、圧電繊維１０には、樹脂構造体１の軸方向に沿って歪みが生じ、樹脂構造体１の軸方向に沿ってずり応力が働く。樹脂構造体１の軸方向は、図２（Ａ）の例では第２対角線９１０Ｂに相当する。これにより、圧電繊維１０は、図２（Ａ）に示した例の様に、第１対角線９１０Ａに相当する方向に縮み、第２対角線９１０Ｂの方向に相当する方向に伸びる。したがって、樹脂構造体１の表面には負の電荷が発生し、内側には正の電荷が発生する。
【００２３】
なお、圧電繊維１０は、ずり応力が加わることによって電荷を発生するため、樹脂構造体１の軸方向に対する傾きは左４５度に限られるものではない。延伸方向９００は、少なくとも樹脂構造体１の軸方向に対して交差していればよい。すなわち、圧電繊維１０の延伸方向９００は、樹脂構造体１の軸方向に対して０度より大きく左９０度未満であればよい。
【００２４】
樹脂構造体１は、複数の圧電繊維１０が絶縁性樹脂１００で覆われた形状となっている。複数の圧電繊維１０は、絶縁性樹脂１００により拘束されている。樹脂構造体１の軸方向に張力をかけて伸張すると、複数の圧電繊維１０と同時に絶縁性樹脂１００も変形する。よって、樹脂構造体１の軸方向の張力が複数の圧電繊維１０のずり応力に効率よく変換される。そのため、引張に対する圧電の感度が高くなる。
【００２５】
絶縁性樹脂１００は、例えば、ウレタン、エポキシ、アクリル、またはポリエステル等からなる。一般的にウレタンは、アクリルまたはポリエステルよりも柔らかく、吸水性が高い。エポキシは、アクリルまたはポリエステルよりも硬く、吸水性が低い。柔軟性が高く、伸縮性が高い素材ほど、樹脂構造体１の軸方向の張力に対する圧電の感度を阻害しにくくなる。また、吸水性が低い材料ほど圧電繊維１０に水分が暴露され難く、圧電繊維１０の加水分解を抑制することができる。絶縁性樹脂１００の素材は、必要な柔軟性および吸水性に応じて適宜選択すればよい。
【００２６】
一方、図３（Ａ）は、圧電繊維１０を右旋回して撚られた右旋回糸（以下、Ｚ糸と称する。）を構成する、樹脂構造体２を示す一部分解図である。図３（Ｂ）は、図３（Ａ）のＡ−Ａ線における断面図である。
【００２７】
樹脂構造体２は、Ｚ糸であるため、圧電繊維１０の延伸方向９００は、樹脂構造体２の軸方向に対して、紙面上において右４５度に傾いた状態となる。この様なＺ糸の樹脂構造体２に張力をかけて伸張した場合、圧電繊維１０には、樹脂構造体２の軸方向に沿って歪みが生じ、樹脂構造体２の軸方向に沿ってずり応力が働く。
【００２８】
樹脂構造体２の軸方向は、図２（Ｂ）の例では第１対角線９１０Ａに相当する。これにより、圧電繊維１０は、図２（Ｂ）に示した例の様に、第１対角線９１０Ａに相当する方向に伸び、第２対角線９１０Ｂの方向に相当する方向に縮む。
【００２９】
したがって、樹脂構造体２の表面には正の電荷が発生し、内側には負の電荷が発生する。なお、圧電繊維１０はずり応力が加わることによって電荷を発生するため、樹脂構造体２の軸方向に対する傾きは右４５度に限られるものではなく、少なくとも樹脂構造体２の軸方向に対して交差していればよい。すなわち圧電繊維１０の延伸方向９００は樹脂構造体２の軸方向に対して０度より大きく右９０度未満であればよい。
【００３０】
図４は、樹脂構造体１および樹脂構造体２における、電場の状態を示す断面図である。樹脂構造体１（Ｓ糸）および樹脂構造体２（Ｚ糸）がＰＬＬＡで形成された場合、樹脂構造体１単独では、張力が加わった時に表面が負の電位になり内部は正の電位になる。樹脂構造体２単独では、張力が加わった時に表面が正の電位になり内部は負の電位になる。
【００３１】
これら樹脂構造体１および樹脂構造体２が近接した場合、近接する部分（表面）は同電位になろうとする。この場合、樹脂構造体１と樹脂構造体２との近接部は０Ｖとなり、元々の電位差を保つように、樹脂構造体１の内部の正の電位はさらに高くなる。同様に樹脂構造体２の内部の負の電位はさらに低くなる。
【００３２】
樹脂構造体１の断面では、主に樹脂構造体１の内から外に向かう電場が形成され、樹脂構造体２の断面では主に外から内に向かう電場が形成される。樹脂構造体１および樹脂構造体２を近接させた場合、これらの電場が空気中に漏れ出て合成され、樹脂構造体１および樹脂構造体２の間の電位差により、図４に示す様に樹脂構造体１と樹脂構造体２との間に電場が形成される。あるいは、樹脂構造体１（または樹脂構造体２）と、例えば人体等の所定の電位（グランド電位を含む。）を有する物と、が近接した場合に、樹脂構造体１（または樹脂構造体２）と近接する物との間に電場が生じる。
【００３３】
あるいは、樹脂構造体１および樹脂構造体２との間の湿気等で形成された電流経路、またはミクロな放電現象等で形成された回路を電流が流れることがある。樹脂構造体１または樹脂構造体２と、近接する所定の電位（グランド電位を含む。）を有する物と、が近接した場合にも、湿気等で形成された電流経路、またはミクロな放電現象等で形成された回路を電流が流れることがある。
【００３４】
また、樹脂構造体１および樹脂構造体２は、互いに逆極性の電位を有する必要はない。樹脂構造体１および樹脂構造体２は、同じ極性の電位を有する場合であっても、両者に電位差があれば、電場または電流が生じる。すなわち、樹脂構造体１および樹脂構造体２は、電荷が発生した時に異なる電位となればよい。
【００３５】
なお、樹脂構造体は、撚糸に限るものではない。例えば、図５に示す様に、フィルム形状の圧電体１０Ａを左旋回に巻いてなるＳ糸（または右旋回に巻いてなるＺ糸）を絶縁性樹脂１００で覆った構造も、本発明の樹脂構造体に含まれる。
【００３６】
なお、表面に負の電荷を生じる繊維としては、ＰＬＬＡを用いたＳ糸の他にも、ＰＤＬＡを用いたＺ糸も考えられる。また、表面に正の電荷を生じる繊維としては、ＰＬＬＡを用いたＺ糸の他にも、ＰＤＬＡを用いたＳ糸も考えられる。
【００３７】
本実施形態の樹脂構造体は、例えば抗菌繊維として利用される。従来から、電場により細菌および真菌等の増殖を抑制できる事が知られている（例えば、土戸哲明，高麗寛紀，松岡英明，小泉淳一著、講談社：微生物制御−科学と工学を参照。また、例えば、高木浩一，高電圧・プラズマ技術の農業・食品分野への応用，J.HTSJ，Vol.51，No.216を参照）。また、電場を生じさせている電位により、湿気等で形成された電流経路、またはミクロな放電現象等で形成された回路を電流が流れることがある。この電流により菌が弱体化し菌の増殖を抑制することが考えられる。本実施形態の抗菌繊維は、外部からエネルギーを受けた際、電荷が発生した時に異なる電位となる少なくとも２つの圧電繊維の間で電場が生じ、あるいは人体等の所定の電位（グランド電位を含む。）を有する物に近接した場合に、該抗菌繊維と該所定の電位を有する物との間で電場が生じる。あるいは、外部からエネルギーを受けた際、本実施形態の抗菌繊維は、電荷が発生した時に異なる電位となる少なくとも２つの圧電繊維の間で水分等を介して電流を流し、あるいは人体等の所定の電位（グランド電位を含む。）を有する物に近接した場合に、汗等の水分を介して該抗菌繊維と該所定の電位を有する物との間で電流を流す。
【００３８】
したがって、樹脂構造体は、圧電繊維で発生する電場または電流の直接的な作用によって、菌の細胞膜や菌の生命維持のための電子伝達系に支障が生じ、菌が死滅する、あるいは菌が弱体化する、という効果を奏する。さらに、電場もしくは電流によって水分中に含まれる酸素が活性酸素種に変化する場合がある。または電場もしくは電流の存在によるストレス環境により菌の細胞内に酸素ラジカルが生成される場合がある。これらのラジカル類を含む活性酸素種の作用により菌が死滅する、または弱体化する。また、上記の理由が複合して抗菌効果を生じる場合もある。なお、本実施形態で言う「菌」とは、細菌、真菌、古細菌またはダニやノミ等の微生物を含む。「抗菌」とは、菌が弱体化する効果、また菌を死滅する効果の両方を含む概念である。
【００３９】
以上の様な、抗菌繊維は、例えば衣料に適用することができる。衣料のうち、特に靴下（またはサポータ）は、歩行等の動きによって、関節に沿って必ず伸縮が生じるため、抗菌繊維は、高頻度で電荷を発生する。また、靴下は、汗などの水分を吸い取り、菌の増殖の温床となるが、抗菌繊維は、菌の増殖を抑制することができるため、防臭のための菌対策用途として、顕著な効果を生じる。
【００４０】
なお、圧電繊維は、圧電により電場を生じさせるため、電源が不要であるし、感電のおそれもない。また、圧電繊維の寿命は、薬剤等による抗菌効果よりも長く持続する。また、薬剤よりもアレルギー反応が生じるおそれは低い。また、薬剤、特に抗生物質等による耐性菌の発現が近年大きな問題となっているが、本実施形態の抗菌効果は、メカニズム上、耐性菌を生じにくい。
【００４１】
また、本実施形態の樹脂構造体は、物質吸着用途に用いることもできる。上述したように、樹脂構造体１は、引張時に、表面に負の電荷を生じる。樹脂構造体２は、引張時に、表面に正の電荷を生じる。そのため、樹脂構造体１は、正の電荷を有する物質（例えば花粉等の粒子）を吸着する性質を有し、樹脂構造体２は、負の電荷を有する物質（例えば黄砂等の有害物質等）を吸着する。圧電繊維は、圧電により電場を生じさせるため、電源が不要である。また、圧電繊維の寿命は長く、物質の吸着により生じる電荷の強さに変化はない。したがって、エレクトレットフィルタの様に物質が吸着するに連れて吸着力が低下することもない。
【００４２】
また、本実施形態の圧電繊維１０は、絶縁性樹脂１００に覆われているため、強度が向上し、かつ加水分解による早期劣化を防止することができる。加水分解による劣化を防止するためには、絶縁性樹脂１００は、吸水性が低いことが好ましい。また、圧電繊維１０の変形を阻害しないために、絶縁性樹脂１００は、弾性変形し易い、つまり高い伸縮性を有することが好ましい。絶縁性樹脂１００は、少なくとも圧電繊維１０よりも高い伸縮性を有することが好ましい。
【００４３】
また、電場の強度は、Ｅ＝Ｖ／ｄで表されるように、電荷を生じる物質間の距離に反比例する。圧電繊維１０の厚みに対して絶縁性樹脂が厚すぎると、繊維間の距離が広くなりすぎて電場の強度は大きく低下する。そこで、例えば、絶縁性樹脂１００の厚みは、圧電繊維１０の直径に対して６０％以下であることが好ましい。
【００４４】
図６は、布１５０の平面概略図である。布１５０は、樹脂構造体１が織り込まれてなる、または編み込まれてなる。なお、布１５０は、まず複数の圧電繊維１０からなるＳ糸またはＺ糸を織り込んだ後（または編み込んだ後）に、絶縁性樹脂１００を被覆してもよい。また、絶縁性樹脂１００で被覆された樹脂構造体１を織り込んだ後（または編み込んだ後）にさらに絶縁性樹脂１００を被覆してもよい。
【００４５】
また、布１５０は、複数の圧電繊維１０を接着または絡み合わせてなる不織布であってもよい。この場合も、複数の圧電繊維１０のそれぞれを絶縁性樹脂１００で被覆してから接着または絡み合わせてもよいし、複数の圧電繊維１０を接着または絡み合わせた後に絶縁性樹脂１００で被覆してもよい。
【００４６】
この様な布１５０も、本発明の樹脂構造体の一例である。なお、布１５０は、圧電性を有しない普通繊維を含んでいてもよい。また、布１５０は、樹脂構造体１あるいは樹脂構造体２のいずれか一方のみ備えていてもよいし、樹脂構造体１および樹脂構造体２の両方を備えていてもよい。
【００４７】
次に、図７（Ａ）は、抗菌基材７０の断面図であり、図７（Ｂ）は、抗菌基材７０の一部拡大断面図である。抗菌基材７０は、複数の布１５０を備えている。複数の布１５０は、絶縁性樹脂１００により覆われている。
【００４８】
布１５０は、それぞれ樹脂構造体１あるいは樹脂構造体２のいずれか一方のみ備えていてもよいし、樹脂構造体１および樹脂構造体２の両方を備えていてもよい。
【００４９】
図７（Ｂ）に示す様に、絶縁性樹脂１００は、内部に複数の孔１１０を有する多孔質の材料である。絶縁性樹脂１００は、複数の孔１１０を有するため、菌１１５が侵入し易く、菌１１５を内部に留めることができる。これにより、孔内部に留まっている菌１１５をより効率的に死滅または増殖抑制することができる。
【００５０】
そして、抗菌基材７０に引張または圧縮負荷が掛けられると、絶縁性樹脂１００に拘束された布１５０が引張または圧縮される。したがって、布１５０を構成する圧電繊維１０は、電荷を生じる。この電荷により、抗菌基材７０の内部において電場が生じ、その強度も変化する。したがって、抗菌基材７０は、当該電場およびその強度の変化により菌１１５の増殖を抑制することができる。
【００５１】
なお、抗菌基材７０の形状は、図７（Ａ）に示したものに限らない。例えば、図８に示す抗菌基材１７０は、複数の樹脂構造体１が絡み合ってなる構造を有する。抗菌基材１７０においても、樹脂構造体１あるいは樹脂構造体２のいずれか一方のみ備えていてもよいし、樹脂構造体１および樹脂構造体２の両方を備えていてもよい。また、抗菌基材１７０は、複数の圧電繊維１０のそれぞれを絶縁性樹脂１００で被覆してから絡み合わせてもよいし、複数の圧電繊維１０を絡み合わせた後に絶縁性樹脂１００で被覆してもよい。
【００５２】
抗菌基材１７０の内部は、複数の樹脂構造体１の間に、多数の空隙が存在する。よって、抗菌基材１７０は、菌と接触する表面積が大きくなり、菌を効率的に抗菌することができる。また、樹脂構造体１を構成する圧電繊維１０は、様々な方向を向くため、どの方向からの引張または圧縮負荷に対しても、様々な強度の電場が生じる。よって、抗菌基材１７０は、菌を効率的に抗菌することができる。
【００５３】
最後に、本実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５４】
１，２…樹脂構造体
１０…圧電繊維
１０Ａ…圧電体
７０，１７０…抗菌基材
１００…絶縁性樹脂
１１０…孔
１１５…菌
１５０…布
９００…延伸方向
【図１】
2020084366.tif 000003
【図２】
2020084366.tif 000004
【図３】
2020084366.tif 000005
【図４】
2020084366.tif 000006
【図５】
2020084366.tif 000007
【図６】
2020084366.tif 000008
【図７】
2020084366.tif 000009
【図８】
2020084366.tif 000010
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
外部からのエネルギーにより電荷を発生する複数の圧電繊維と、
絶縁性樹脂と、を備え、
前記複数の圧電繊維のうち少なくとも１つは、前記絶縁性樹脂でコーティングされてなり、
前記絶縁性樹脂は、多孔質である、
樹脂構造体。
【請求項２】
前記絶縁性樹脂は、前記複数の圧電繊維よりも高い伸縮性を有する、
請求項１に記載の樹脂構造体。
【請求項３】
前記絶縁性樹脂は、前記複数の圧電繊維よりも低い吸水性を有する、
請求項１または請求項２に記載の樹脂構造体。
【請求項４】
前記複数の圧電繊維は、ポリ乳酸を含む、
請求項１乃至請求項３のいずれか１項に記載の樹脂構造体。
【請求項５】
外部からのエネルギーにより電荷を発生する複数の圧電繊維で構成された布と、
絶縁性樹脂と、を備え、
前記布は、前記絶縁性樹脂でコーティングされてなり、
前記絶縁性樹脂は、多孔質である、
樹脂構造体。